(57)【要約】【課題】  ＲＦ信号の高い周波数成分に非対称性を持った光ディスクを判別し、最適なＲＦイコライザゲインを設定し、従来は再生不可能な光ディスクにおいても再生可能とする。【解決手段】  ＯＦＴ信号検出装置１８により再生する光ディスク毎にＯＦＴ信号を検出し、これにより非対称性を持った光ディスクを判別する。判別した結果、書き込まれたデータが、非対称性を持っているのであれば、イコライザ特性変更装置１９によりＲＦ信号のイコライザゲイン設定を変更し、光ディスク再生用ＬＳＩがデータを判別する際、正常に判別できるようにし、これまでは再生不可能であった光ディスクに対しても、再生可能とする。【選択図】        図１
2007004852.tif 000002
【特許請求の範囲】
【請求項１】
所定の周波数よりも高い周波数を有するオフトラック信号を検出する信号検出手段と、
前記信号検出手段による前記所定の周波数よりも高い周波数を有するオフトラック信号の検出に応答して、光ディスクから読み取られたＲＦ信号のイコライザゲインを変更するイコライザゲイン変更手段とを備えた光ディスク再生用信号処理装置。
【請求項２】
前記信号検出手段は前記所定の周波数よりも高い周波数を有するオフトラック信号の他にブラックドロップアウト信号を検出し、
前記イコライザゲイン変更手段は、前記ブラックドロップアウト信号により前記光ディスクに傷がない状態であると判断された状態でのみ、前記信号検出手段による前記所定の周波数よりも高い周波数を有するオフトラック信号の検出に応答して前記ＲＦ信号のイコライザゲインを変更する請求項１記載の光ディスク再生用信号処理装置。
【請求項３】
前記信号検出手段は前記所定の周波数よりも高い周波数を有するオフトラック信号の他にトラッキングロック信号を検出し、
前記イコライザゲイン変更手段は、前記トラッキングロック信号により前記光ディスクのトラッキングがロックできていると判断された状態でのみ、前記信号検出手段による前記所定の周波数よりも高い周波数を有するオフトラック信号の検出に応答して前記ＲＦ信号のイコライザゲインを変更する請求項１記載の光ディスク再生用信号処理装置。
【請求項４】
前記信号検出手段は前記所定の周波数よりも高い周波数を有するオフトラック信号の他にＰＬＬロック信号を検出し、
前記イコライザゲイン変更手段は、前記ＰＬＬロック信号により前記光ディスクのＰＬＬがロックできていると判断された状態でのみ、前記信号検出手段による前記所定の周波数よりも高い周波数を有するオフトラック信号の検出に応答して前記ＲＦ信号のイコライザゲインを変更する請求項１記載の光ディスク再生用信号処理装置。
【請求項５】
請求項１〜４のいずれかに記載の光ディスク再生用信号処理装置を備えた光ディスク再生装置。
【請求項６】
所定の周波数よりも高い周波数を有するオフトラック信号を検出する信号検出ステップと、
前記信号検出ステップにより前記所定の周波数よりも高い周波数を有するオフトラック信号が検出されたときに、光ディスクから再生されたＲＦ信号のイコライザゲインを変更するイコライザゲイン変更ステップとを含むＲＦ信号イコライザゲイン調整方法。
【請求項７】
前記信号検出ステップでは、前記所定の周波数よりも高い周波数を有するオフトラック信号の他にブラックドロップアウト信号が検出され、
前記イコライザゲイン変更ステップでは、前記ブラックドロップアウト信号により前記光ディスクに傷がない状態であると判断された場合にのみ、前記信号検出ステップにより前記所定の周波数よりも高い周波数を有するオフトラック信号が検出されたときに前記ＲＦ信号のイコライザゲインを変更する請求項６記載のＲＦ信号イコライザゲイン調整方法。
【請求項８】
前記信号検出ステップでは、前記所定の周波数よりも高い周波数を有するオフトラック信号の他にトラッキングロック信号が検出され、
前記イコライザゲイン変更ステップでは、前記トラッキングロック信号により前記光ディスクのトラッキングがロックされていると判断された場合にのみ、前記信号検出ステップによる前記所定の周波数よりも高い周波数を有するオフトラック信号の検出に応答して前記ＲＦ信号のイコライザゲインを変更する請求項６記載のイコライザゲイン調整方法。
【請求項９】
前記信号検出ステップでは、前記所定の周波数よりも高い周波数を有するオフトラック信号の他にＰＬＬロック信号が検出され、
前記イコライザゲイン変更ステップでは、前記ＰＬＬロック信号により光ディスクのＰＬＬがロックできていると判断された場合にのみ、前記信号検出ステップによる前記所定の周波数よりも高い周波数を有するオフトラック信号の検出に応答して前記ＲＦ信号のイコライザゲインを変更する請求項６記載のＲＦ信号イコライザゲイン調整方法。
【発明の詳細な説明】
【技術分野】
【０００１】
本発明はＣＤ、ＤＶＤなど各種光ディスクを再生するための光ディスク再生用信号処理装置、光ディスク再生装置（ＣＤプレイヤーを含む）およびＲＦ信号イコライザゲイン調整方法に関するものである。特に、光ディスクから読み取られたＲＦ信号の品質が悪い場合にも、データの読み取りを可能とする手法に関するものである。
【背景技術】
【０００２】
光ディスクから読み取られたＲＦ信号は、各種周波数の成分を含み、これらの組み合わせにより光ディスクに書き込まれているデータが判別される。一般的に、ピックアップの周波数特性により、ＲＦ信号の周波数が高くなるにつれてＲＦ信号の振幅が小さくなる傾向を持つ。ＲＦ信号の振幅が小さくなると、ＲＦ信号のデータ判別が困難になる。これを改善するために、従来ではＲＦ信号をイコライザに通すことにより、高い周波数成分の振幅を増大させている。しかし、振幅のアップ率を大きくすると、ＲＦ信号を歪ませる結果となり、逆にデータ読み取りを困難にする結果となる場合もあり、様々なディスクを用いて、特性の決まった平均的なイコライザを設定してきた。
【０００３】
近年、ＣＤ−ＲおよびＣＤ−ＲＷの普及により、データ書き込み時において適切なレーザパワーでデータを書き込めないケースが増えている。適切なレーザパワーでデータを書き込めていないディスクにおいては、書き込まれたＲＦ信号のうち、高い周波数成分が非対称なデータとなっている。そのため、従来の平均的なイコライザを用いていては、データ読み取りの際、高い周波数成分のデータが正常に判別できず、データ読み取りができない結果となってしまう。
【０００４】
従来のイコライザ切り換え方法としては、再生するディスクに応じてイコライザを切り換えるといったことはあった。例えば、特許文献１には、イコライザ切り換えのための回路例の記載がある。しかしながら、どの条件をもって、どのように切り換えるかの記載はない。
【０００５】
図９に示される通り、従来の光ディスク再生装置は、光ディスク９１を回転させるスピンドルモータ９２と、光ディスク９１からの信号を読み取るピックアップ９３と、ピックアップ９３からの信号を増幅するＲＦアンプ９４と、ＲＦアンプ９４からの信号によりサーボ制御の演算を行うサーボ制御チップ９５と、サーボ制御チップ９５からの信号を増幅しピックアップ９３を光ディスク９１の目標ポイントまでドライブするドライバ９６と、これらを制御するコントロールマイコン９７とから構成されている。
【０００６】
光ディスクから読み取ったデータの判別は、図９におけるサーボ制御チップ９５で行われる。
【０００７】
次に光ディスク再生装置において、正しいレーザパワーで書き込まれたＲＦ信号を、図１０を用いて説明する。
【０００８】
図１０は、正しいレーザパワーで書き込まれたＲＦ信号を示した波形図である。図１０において、符号１０１はＲＦ信号の３Ｔ成分を示し、符号１０２はＲＦ信号の６Ｔ成分を示し、符号１０３はＲＦ信号の９Ｔ成分を示す。このように、正しいレーザパワーで書き込まれた光ディスクから読み取ったデータは、各周波数成分の振幅に違いはあるものの、データとしては対称性を保っており、正常に各信号を判別することが可能である。
【０００９】
図１１は、最適ではないレーザパワーにて書き込まれた光ディスクから読み取ったＲＦ信号を示した波形図である。図１１において、符号１１１は非対称なＲＦ信号３Ｔ成分を示し、符号１１２は非対称なＲＦ信号６Ｔ成分を示し、符号１１３は非対称なＲＦ信号９Ｔ成分を示す。このように、最適ではないレーザパワーで書き込まれた光ディスクから読み取ったデータは、周波数が高い成分のＲＦ信号ほど、波形レベルが電圧の高い方、もしくは低い方にずれる傾向がある。
【００１０】
サーボ制御チップ９５においては、各波形の瞬時値と波形の中心レベルとのクロス点を検出し、各ＲＦ信号の周波数を測定している。したがって、波形レベルが波形の中心レベルからずれると、正確に周波数を測定できない。
【特許文献１】特開平２００１−１３４９４２号公報
【発明の開示】
【発明が解決しようとする課題】
【００１１】
しかしながら、上記従来の方法では、ＲＦ信号の高い周波数成分に非対称性を持った光ディスクにおいて、データの判別が正常にできず、光ディスクのデータ読み取りを行うことができなくなってしまう。
【００１２】
したがって、本発明は、上記従来の問題点を解決するもので、ＲＦ信号の高い周波数成分に非対称性を持った光ディスクを判別し、最適なＲＦイコライザゲインを設定し、従来は再生不可能な光ディスクにおいても再生可能とすることを目的とする。
【課題を解決するための手段】
【００１３】
本発明のＲＦイコライザ設定は、再生する光ディスク毎にオフトラック信号（以下、ＯＦＴ信号と略す）を検出し、これより非対称性を持った光ディスクを判別する。判別した結果、書き込まれたデータが、非対称性を持っているのであれば、ＲＦ信号のイコライザゲイン設定を変更し、ＬＳＩ（サーボ制御チップ）がデータを判別する際、正常に判別できるようにし、これまでは再生不可能であった光ディスクに対しても、再生可能とする。
【００１４】
本発明の光ディスク再生用信号処理装置は、所定の周波数よりも高い周波数を有するＯＦＴ信号を検出する信号検出手段と、信号検出手段による所定の周波数よりも高い周波数を有するＯＦＴ信号の検出に応答して、光ディスクから読み取られたＲＦ信号のイコライザゲインを変更するイコライザゲイン変更手段とを備えている。
【００１５】
上記の光ディスク再生用信号処理装置においては、信号検出手段が所定の周波数よりも高い周波数を有するＯＦＴ信号の他にブラックドロップアウト信号（以下、ＢＤＯ信号と略す）を検出し、イコライザゲイン変更手段が、ＢＤＯ信号により光ディスクに傷がない状態であると判断された状態でのみ、信号検出手段による所定の周波数よりも高い周波数を有するＯＦＴ信号の検出に応答してＲＦ信号のイコライザゲインを変更することが好ましい。
【００１６】
また、上記の光ディスク再生用信号処理装置においては、信号検出手段が所定の周波数よりも高い周波数を有するＯＦＴ信号の他にトラッキングロック信号を検出し、イコライザゲイン変更手段が、トラッキングロック信号により光ディスクのトラッキングがロックできていると判断された状態でのみ、信号検出手段による所定の周波数よりも高い周波数を有するＯＦＴ信号の検出に応答してＲＦ信号のイコライザゲインを変更することが好ましい。
【００１７】
また、上記の光ディスク再生用信号処理装置においては、信号検出手段が所定の周波数よりも高い周波数を有するＯＦＴ信号の他にＰＬＬロック信号を検出し、イコライザゲイン変更手段が、ＰＬＬロック信号により光ディスクのＰＬＬがロックできていると判断された状態でのみ、信号検出手段による所定の周波数よりも高い周波数を有するＯＦＴ信号の検出に応答してＲＦ信号のイコライザゲインを変更することが好ましい。
【００１８】
本発明の光ディスク再生装置は、上記の光ディスク再生用信号処理装置を備えた構成を有している。
【００１９】
本発明のＲＦ信号イコライザゲイン調整方法は、所定の周波数よりも高い周波数を有するＯＦＴ信号を検出する信号検出ステップと、信号検出ステップにより所定の周波数よりも高い周波数を有するＯＦＴ信号が検出されたときに、光ディスクから再生されたＲＦ信号のイコライザゲインを変更するイコライザゲイン変更ステップとを含む。
【００２０】
上記のＲＦ信号イコライザゲイン調整方法においては、信号検出ステップで、所定の周波数よりも高い周波数を有するＯＦＴ信号の他にＢＤＯ信号が検出され、イコライザゲイン変更ステップで、ＢＤＯ信号により光ディスクに傷がない状態であると判断された場合にのみ、信号検出ステップにより所定の周波数よりも高い周波数を有するＯＦＴ信号が検出されたときにＲＦ信号のイコライザゲインを変更することが好ましい。
【００２１】
また、上記のＲＦ信号イコライザゲイン調整方法においては、信号検出ステップで、所定の周波数よりも高い周波数を有するＯＦＴ信号の他にトラッキングロック信号が検出され、イコライザゲイン変更ステップで、トラッキングロック信号により光ディスクのトラッキングがロックされていると判断された場合にのみ、信号検出ステップによる所定の周波数よりも高い周波数を有するＯＦＴ信号の検出に応答してＲＦ信号のイコライザゲインを変更することが好ましい。
【００２２】
また、上記のＲＦ信号イコライザゲイン調整方法においては、信号検出ステップで、所定の周波数よりも高い周波数を有するＯＦＴ信号の他にＰＬＬロック信号が検出され、イコライザゲイン変更ステップで、ＰＬＬロック信号により光ディスクのＰＬＬがロックできていると判断された場合にのみ、信号検出ステップによる所定の周波数よりも高い周波数を有するＯＦＴ信号の検出に応答してＲＦ信号のイコライザゲインを変更することが好ましい。
【発明の効果】
【００２３】
本発明により、最適ではないレーザパワーにて書き込まれた光ディスクを確実に判別することにより、イコライザのゲインアップ率を変更し、それによって従来再生不可能であった光ディスクを再生可能とする。
【発明を実施するための最良の形態】
【００２４】
（実施の形態１）
以下、本発明の実施の形態１の光ディスク再生用信号処理装置を、図面を参照しながら説明する。この光ディスク再生用信号処理装置は、ＬＳＩ等の半導体装置として構成される。
【００２５】
本発明の実施の形態の光ディスク再生用信号処理装置は、図１に示すように、従来の光ディスク再生装置に対して付加されるものであり、所定の周波数よりも高い周波数（例えば、５０ｋＨｚ以上）を有するＯＦＴ信号を検出するＯＦＴ検出装置（信号検出手段）１８と、ＯＦＴ検出装置１８による所定の周波数よりも高い周波数を有するＯＦＴ信号の検出に応答して、光ディスク１１から読み取られたＲＦ信号のイコライザゲインを変更するイコライザ特性変更装置（イコライザゲイン変更手段）１９とを備えている。なお、これらの装置は、他のＬＳＩに内蔵されていても構わない。
【００２６】
上記のＯＦＴ信号は、ピックアップのレーザが、トラックをトレースできている時はＬとなり、トレースできていない時にはＨとなる信号である。
【００２７】
また、イコライザ特性変更装置１９は、通常は、高周波部分のＲＦ信号振幅を増大させるために、高周波部分のゲインをアップさせるものである。しかしながら、条件によっては、ゲインを下げる場合も考えられる。
【００２８】
そして、従来の光ディスク再生装置に光ディスク再生用信号処理装置を付加したものが、本発明の実施の形態１の光ディスク再生装置である。
【００２９】
図２はＯＦＴ信号の生成方法を示した波形図である。ＯＦＴ信号２２は、図２に示す通り、ＲＦ信号２１の欠け２１ａを包絡線検波により検出し、ＲＦ信号２１の欠け２１ａが一定の閾値を超えた場合に、ＯＦＴ信号２２はＨとなる。最適なレーザパワーにて書き込まれた光ディスクにおいては、トラッキング外れが発生する場合以外は、ＯＦＴ信号はＬを保っている。
【００３０】
図３は、最適なレーザパワーで書き込まれなかった場合のＲＦ信号とＯＦＴ信号の関係を示した図である。最適なレーザパワーで書き込まれていない光ディスクにおいては、非対称なＲＦ信号３１が発生する。この場合は、トラッキング外れが発生していないにもかかわらず、トラッキング外れと同様の状態となり、ＲＦ信号３１に欠けが発生することとなる。その結果、ＯＦＴ信号３２がＨとなる。
【００３１】
また、ＲＦ信号３１の周波数が高いほど、非対称性は大きくなる。光ディスクに書き込まれているＲＦ信号３１のうち、もっとも周波数が高い成分は３Ｔ成分であるため、３Ｔ成分がもっとも非対称性が大きくなる。よって、ＯＦＴ信号がＨとなるケースは、３Ｔ成分等の周波数の高い成分に反応した結果であることが多い。そのため、ＯＦＴ信号がＨとなる期間は非常に短い。
【００３２】
通常、トラッキング外れが発生して、ＯＦＴ信号がＨとなる場合は、ＯＦＴ信号の周波数は数ｋＨｚ〜３０ｋＨｚ程度である。これは、実際に、ピックアップが動くことにより、ディスク上のトラックを横切るためである。ところが、今回のケースのように、非対称性が大きい３Ｔ信号を含むデータに反応してＯＦＴ信号がＨとなる場合は、ＯＦＴ信号の周波数は数百ｋＨｚになる。その理由は、３Ｔ信号の周波数が、７００ｋＨｚであるためである。よって、ＯＦＴ信号がＨとなる期間は、非常に短くなる。
【００３３】
図４は、イコライザのゲインを増大させた時の波形図である。符号４１は振幅を大きくした時のＲＦ信号を示し、符号４２はＯＦＴ信号を示す。ＲＦ信号の高周波部分の振幅を増大させることにより、ＯＦＴ信号はＬを保つことになる。
【００３４】
ここで、ＲＦ信号の高周波部分の振幅を増大させることにより、ＯＦＴ信号がＬを保つことができる理由について説明する。ＯＦＴ信号は、ＲＦ信号の下側の欠け部分を検波することにより得ている。また、３Ｔ等の高周波部分の振幅は、通常の信号に比べて、小さい傾向がある。よって、非対称性により、通常よりも振幅の小さい３Ｔ信号が続いた場合、ＲＦ信号の下側部分に、見かけ上、欠けが発生してしまう。これを防ぐためには、３Ｔ等の高周波部分の振幅を増大させ、それによってＲＦ信号の下側部分の欠けを少なくし、ＯＦＴ信号の検波レベルに達しないようにする必要がある。以上説明したように、高周波部分の振幅を増大させることにより、ＯＦＴ信号をＬに保持することが可能となる。
【００３５】
このように、例えばコントロールマイコン１７等により、データ読み取り中のＯＦＴ信号を検出することにより、現在再生している光ディスクが、最適なレーザパワーで書き込まれた光ディスクか、最適なレーザパワーで書き込まれていない光ディスクか、判別することが可能となる。なお、この光ディスクの判別処理は、例えば光ディスクの読み取り開始時に１回行われる。したがって、光ディスクを交換する都度、判別処理が行われる。
【００３６】
これらの光ディスクの判別が可能になったことにより、最適なレーザパワーで書き込まれた光ディスクの場合は、ジッタを抑えるために、イコライザのゲインを小さく設定し、最適なレーザパワーで書き込まれていない光ディスクの再生時には、イコライザのゲインを増大させる。これによって、今まで再生できなかった光ディスクも再生可能となる。
【００３７】
ここで、光ディスク再生用信号処理装置を含んで構成される本発明の実施の形態１の光ディスク再生装置について、図面を参照しながら説明する。
【００３８】
図１は、本発明の実施の形態１における光ディスク再生装置を示すブロック図である。
【００３９】
光ディスク再生装置は、光ディスク１１を回転させるスピンドルモータ１２と、光ディスク１１からの信号を読み取るピックアップ１３と、ピックアップ１３からの信号を増幅するＲＦアンプ１４と、ＲＦアンプ１４からの信号によりサーボ制御の演算を行うサーボ制御チップ１５と、サーボ制御チップ１５からの信号を増幅しピックアップ１３を光ディスク１１の目標ポイントまでドライブするドライバ１６と、これらを制御するコントロールマイコン１７と、ＲＦ信号からＯＦＴ信号を作成するＯＦＴ検出装置１８と、コントロールマイコン１７からの信号よりイコライザのゲインを切り換えるイコライザ特性変更装置１９とから構成されている。
【００４０】
上記のＯＦＴ検出装置１８は、図２を参照して説明したように、ＲＦ信号の下側の縁部分のレベルが、一定値を超えているか否かを判別する回路である。その具体的な構成については、図示を省略しているが、本発明特有のものではなく、従来から通常のディスク再生装置に搭載されているものである。
【００４１】
つぎに、ＯＦＴ信号の周波数は、例えば、コントロールマイコン１７のインプットキャプチャ機能を用いてチェックすることが可能である。具体的には、コントロールマイコン１７の所定の端子にＯＦＴ信号を入力し、マイコン内部クロックを用いて、Ｈ（ｏｒ  Ｌ）期間の長さをカウントすることにより、Ｈ区間の周期を測定することが可能である。
【００４２】
つぎに、イコライザ特性変更装置１９の構成について説明する。イコライザのゲインは、コントロールマイコン１７による直接的なＲＦアンプ搭載の端子制御を行うか、もしくはサーボ制御チップ１５へコマンドを与えることによって、コントロールマイコン１７によってサーボ制御チップ１５を介して間接的に制御することで、調整することができる。
【００４３】
つぎに、コントロールマイコン１７の機能について説明する。すなわち、コントロールマイコン１７は、上述したように、ＯＦＴ信号の周波数を測定する機能と、測定したＯＦＴ信号の周波数が所定の周波数より高いかどうかを判別する機能と、ゲイン調整のためにＲＦアンプの端子設定制御を行う機能とを有する。
【００４４】
つぎに、ＲＦアンプ１４の具体的な構成について図１２を参照しながら説明する。ＲＦアンプ１４は、例えば、以下のようなブロックを含んでいる。
【００４５】
ａ）加算部１２１
加算部１２１は、ピックアップから入力される複数の信号を加算する。この加算した信号をＲＦ信号と呼んでいる。
【００４６】
ｂ）イコライザ部１２２
イコライザ部１２２は、上記加算部１２１を通過したＲＦ信号に対して、高周波部分の振幅を増大させる。
【００４７】
ｃ）ＡＧＣ部１２３
ＡＧＣ部１２３は、イコライザ部１２２を通過したＲＦ信号に対して、オートゲインコントロールを実施し、ＲＦ信号の低周波部分（１１Ｔ）の振幅が、常に一定になるように制御する。ＡＧＣ部１２３から出力されるＡＲＦ信号をサーボ制御チップ１５に供給する。この信号がサーボ制御チップ１５における音データの判別に使用される。
【００４８】
ｄ）ＯＦＴ生成部１２４
ＯＦＴ生成部１２４は、ＡＧＣ部１２３を通過後のＲＦ信号に対して、ＲＦ信号の下側の欠けを包絡線検波により検出し、ＲＦ信号の下側の欠けのレベルを一定値と比較する。また、下側の欠けが、一定値を超えた場合、ＯＦＴ信号がＨとなるような出力信号を作成する。本ＯＦＴ信号は、サーボ制御チップ１５、コントロールマイコン１７にて使用される。
【００４９】
ｅ）ＢＤＯ生成部１２５
ＢＤＯ生成部１２５は、ＡＧＣ部１２３を通過後のＲＦ信号に対して、ＲＦ信号の上側の欠けを包絡線検波により検出する。これは、傷等でＲＦ信号が欠ける場合、ＲＦ信号の上側が欠けるためである（上側が欠ける場合は、反射光が少ないとき）。ＢＤＯ生成部は、上側の欠けが一定値を超えた場合、ＢＤＯ信号がＨとなるような出力信号を生成する。本ＢＤＯ信号は、サーボ制御チップ１５にて使用される。
【００５０】
この光ディスク再生装置では、光ディスク上のデータを読み取っている際、ＯＦＴ信号を検出し、一定周波数よりも高いＯＦＴ信号が検出された場合、最適ではないレーザパワーにて書き込まれた光ディスクであると判断し、イコライザのゲインを変更する（例えば、増大させる）。具体的に説明すると、ＯＦＴ検出装置１８にて生成されたＯＦＴ信号が、コントロールマイコン１７に入力され、コントロールマイコン１７にて周波数が測定される。測定された周波数が、コントロールマイコン１７にて一定周波数よりも高いと判断された場合、コントロールマイコン１７は、イコライザ特性制御装置１９のゲイン設定を端子制御により設定し、イコライザのゲインを変更する（例えば、上昇させる）。
【００５１】
次に、この実施の形態１において、イコライザのゲインを変更する手順について説明する。図５は、本発明の実施の形態１におけるＲＦ信号イコライザゲイン切換えの方法を示したフローチャートである。例えば、データ読み取り中や、自動調整中などに、ＯＦＴ信号の周波数を検出し、ある一定の周波数を超えていた場合、最適ではないレーザパワーにて書き込まれた光ディスクであると判断し、イコライザのゲインを変更する（増大させる）。その結果、今まで再生できなかった光ディスクも再生可能となる。
【００５２】
（実施の形態２）
以下、本発明の実施の形態２について説明する。
【００５３】
一般的に、ＲＦアンプ１４は、光ディスク上の傷を検出する機能を持つＢＤＯ信号を出力することができる。このＢＤＯ信号は、光ディスクからの信号の上側の欠けが一定値を超えた場合にＨとなり、正常な場合にＬとなる信号であり、光ディスク上の傷の検出に用いることができる。ＲＦ信号の上側が欠けるのは、傷などにより、暗部分が発生するためである。したがって、ＢＤＯ信号が、傷を検出する機能を有している。
【００５４】
傷通過時には、ピックアップにおけるトラッキングの追従が正常に行われない場合が多い。そのため、ＢＤＯ信号がＨとなっている間、もしくは、ＨからＬとなった一定期間（１ｍｓ〜１ｍｓ）の間は、ＯＦＴ信号がＨとなり易い。ＯＦＴ信号の検出を行う際、上記ＢＤＯ信号がＨとなっている期間、もしくはＨからＬとなった後の一定期間を除いて行うことにより、最適ではないレーザパワーにて書き込まれた光ディスクをより確実に判別することが可能となる。
【００５５】
ここで、ＯＦＴ信号の検出を行う際、上記ＢＤＯ信号がＨとなっている期間、もしくはＨからＬとなった後の一定期間を除いて行う理由について説明する。ＲＦ信号に非対称性を有する光ディスクを判別するために、ＯＦＴ信号を使用しているが、ＯＦＴ信号の本来の目的は、レーザがトラック上をトレースできているか否かを判断するためのものである。傷通過後は、傷によりピックアップが、トラックを正常にトレースできない場合が多くなる。よって、ＢＤＯ＝Ｈ区間、もしくは、ＢＤＯ信号がＨからＬへの切り替わり直後に関しては、非対称性を有するＲＦ信号によってではなく、本来の目的で、ＯＦＴ信号がＨとなる場合が発生する。よって、この区間を避けてＯＦＴ信号の周期を測定する必要がある。
【００５６】
次に、この実施の形態２において、イコライザのゲインを変更する手順について説明する。図６は、本発明の実施の形態２におけるＲＦ信号イコライザゲイン切換えの方法を示したフローチャートである。例えば、データ読み取り中や、自動調整中などに、まずＢＤＯ信号のＬを確認し、その後、ＯＦＴ信号の周波数を検出し、ある一定の周波数を超えていた場合、最適ではないレーザパワーにて書き込まれた光ディスクであると判断し、イコライザのゲインを変更する（増大させる）。その結果、今まで再生できなかった光ディスクも再生可能となる。また最適ではないレーザパワーにて書き込まれた光ディスクを、より確実に判別することが可能となる。
【００５７】
（実施の形態３）
以下、本発明の実施の形態３について説明する。
【００５８】
一般的にＲＦアンプ１４もしくはサーボ制御チップ１５は、光ディスクのトラッキング外れを検出するトラッキングロック信号を出力することができる。当然ながら、トラッキングが保てないときには、ＯＦＴ信号がＨとなり易い。ＯＦＴ信号の検出を行う際、上記トラッキングロック信号がＯＦＦとなっている期間を除いて行うことにより、最適ではないレーザパワーにて書き込まれた光ディスクをより確実に判別することが可能となる。
【００５９】
上記トラッキングロック信号は、サーボ制御チップ１５の内部にて作成している。また、このトラッキングロック信号は、従来のシステムにおいてもトラッキングがロックしているか否かを判断するために使用されている。本発明では、トラッキングがロックされている（＝本来はＯＦＴ＝Ｌを保持しているはず）ときに、ＯＦＴ信号がＨとなっている区間があるかを検知し、非対称性のＲＦ信号を含むか否かを判断するところに、特徴がある。
【００６０】
次に、この実施の形態３において、イコライザのゲインを変更する手順を説明する。図７は、本発明の実施例３におけるＲＦ信号イコライザゲイン切換えの方法を示したフローチャートである。例えば、データ読み取り中や、自動調整中などに、まずトラッキングロック信号にてトラッキングがロックしていることを確認し、その後、ＯＦＴ信号の周波数を検出し、ある一定の周波数を超えていた場合、最適ではないレーザパワーにて書き込まれた光ディスクであると判断し、イコライザのゲインを変更する（増大させる）。その結果、今まで再生できなかった光ディスクも再生可能となる。また、最適ではないレーザパワーにて書き込まれた光ディスクをより確実に判別することが可能となる。
【００６１】
（実施の形態４）
以下、本発明の実施の形態４について説明する。
【００６２】
一般的にＲＦアンプ１４もしくはサーボ制御チップ１５は、光ディスクの回転数ロックもしくはＰＬＬ ＯＮを検出する機能を持っており、この機能に対応して回転数ロック信号（以下、ＣＬＶ信号と略す）、もしくはＰＬＬＯＮ信号と呼ばれる信号を出力する。当然ながら、光ディスクの回転数が保てないとき、ＰＬＬがＯＮできなない時には、ＯＦＴ信号がＨとなり易い。ＯＦＴ信号の検出を行う際、上記ＣＬＶ信号、ＰＬＬ ＯＮ信号がＯＦＦとなっている期間を除いて行うことにより、より確実に最適ではないレーザパワーにて書き込まれた光ディスクを判別することが可能となる。
【００６３】
上記ＣＬＶ信号は、従来からサーボ制御チップ１５の内部にて作成している信号である。コントロールマイコン１７は、コマンドにより、ＣＬＶ信号を読み込むことが可能である。ＰＬＬ ＯＮ信号も同様に、従来からＲＦアンプ１４ではなく、サーボ制御チップ１５の内部で生成されている信号である。ＰＬＬ ＯＮ信号も、コントロールマイコン１７はコマンドにより読み込む。
【００６４】
ここで、ＣＬＶ信号とＰＬＬＯＮ信号について詳しく説明する。ＣＬＶ信号は、設定した回転速度に、ディスクの回転速度が到達しているか否かを示す信号である。回転数が正規の回転数で回転するためには、上記トラッキングがロックしていることが条件として必要である。つまり、トラッキングがロックしているか否かを、上記トラッキングロック信号で判別するのではなく、回転数ロック信号を使用して判断することも可能である。回転数ロック信号を使用する利点は、トラッキングロック信号よりも確実にトラッキングがオンしていることを検出可能である点である。欠点としてはトラッキングがオンしていても、回転数がロックするまで、若干のタイムロスがあることである。
【００６５】
ＰＬＬ ＯＮ信号は、データが正常に読めているか否かを判別する信号になる。ＣＤ−ＤＡの音楽ＣＤでは、回転数を一定に保つ必要があるが、ＣＤ-ＲＯＭのデータの場合は、ディスクの回転数が、規定の回転数に達する前にデータを読み込んでも、問題ない。
【００６６】
データが読めることが、トラッキングがロックしているということになるので、トラッキングロック信号ではなく、ＰＬＬロック信号を用いて、本発明を実施することも可能である。
【００６７】
次に、この実施の形態４において、イコライザのゲインを変更する手順について説明する。図８は、本発明の実施の形態４におけるＲＦ信号イコライザゲイン切換えの方法を示したフローチャートである。例えば、データ読み取り中や、自動調整中などに、まずＰＬＬロック信号（＝ＰＬＬ ＯＮ信号）にてＰＬＬがロックしていることを確認し、その後、ＯＦＴ信号の周波数を検出し、ある一定の周波数を超えていた場合、最適ではないレーザパワーにて書き込まれた光ディスクであると判断し、イコライザのゲインを変更する。
【産業上の利用可能性】
【００６８】
本発明のＲＦイコライザゲイン調整は、従来再生不可能であった光ディスクに対して、再生可能となるため有用である。
【図面の簡単な説明】
【００６９】
【図１】本発明の実施の形態１における光ディスク再生装置の構成を示すブロック図である。
【図２】本発明の実施の形態１におけるＲＦ信号とＯＦＴ信号の波形図である。
【図３】本発明の実施の形態１における非対称なＲＦ信号とＯＦＴ信号の波形図である。
【図４】本発明の実施の形態１における振幅を大きくしたＲＦ信号とＯＦＴ信号の波形図である。
【図５】本発明の実施の形態１における光ディスク再生装置の動作を示すフローチャートである。
【図６】本発明の実施の形態２における光ディスク再生装置の動作を示すフローチャートである。
【図７】本発明の実施の形態３における光ディスク再生装置の動作を示すフローチャートである。
【図８】本発明の実施の形態４における光ディスク再生装置の動作を示すフローチャートである。
【図９】従来の光ディスク再生装置の構成を示すブロック図である。
【図１０】最適なレーザパワーにて書き込まれたＲＦ信号の波形図である。
【図１１】最適ではないレーザパワーにて書き込まれたＲＦ信号の波形図である。
【図１２】図１２はＲＦアンプの具体的な構成を示すブロック図である。
【符号の説明】
【００７０】
１１  光ディスク
１２  スピンドルモータ
１３  ピックアップ
１４  ＲＦアンプ
１５  サーボ制御チップ
１６  ドライバ
１７  コントロールマイコン
１８  ＯＦＴ検出装置
１９  イコライザ特性変更装置
２１  ＲＦ信号
２２  ＯＦＴ信号
３１  非対称なＲＦ信号
３２  ＯＦＴ信号
４１  振幅を大きくしたＲＦ信号
４２  ＯＦＴ信号
９１  光ディスク
９２  スピンドルモータ
９３  ピックアップ
９４  ＲＦアンプ
９５  サーボ制御チップ
９６  ドライバ
９７  コントロールマイコン
１０１  ＲＦ信号３Ｔ成分
１０２  ＲＦ信号６Ｔ成分
１０３  ＲＦ信号９Ｔ成分
１１１  非対称なＲＦ信号３Ｔ成分
１１２  非対称なＲＦ信号６Ｔ成分
１１３  非対称なＲＦ信号９Ｔ成分
【図１】
2007004852.tif 000003
【図２】
2007004852.tif 000004
【図３】
2007004852.tif 000005
【図４】
2007004852.tif 000006
【図５】
2007004852.tif 000007
【図６】
2007004852.tif 000008
【図７】
2007004852.tif 000009
【図８】
2007004852.tif 000010
【図９】
2007004852.tif 000011
【図１０】
2007004852.tif 000012
【図１１】
2007004852.tif 000013
【図１２】
2007004852.tif 000014